(57)【特許請求の範囲】
【請求項１】
光ディスクを載置させるように、大径の部位と、該大径の部位よりも深さが深く形成されている小径の部位とが同心円状に凹設された載置部と、
該載置部の底板の一部が、載置部の中心から光ピックアップの移動方向に沿って開口して形成された開口部とを有するトレイにおいて、
前記載置部の底面の前記開口部との縁部には、載置された光ディスクとの間の隙間が前記開口部に向けて徐々に広がるように傾斜して形成された傾斜面を設け、
該傾斜面は、前記載置部の前記大径の部位と前記小径の部位の両方にわたって形成されていることを特徴とする光ディスク装置のトレイ。
【請求項２】
前記傾斜面には、１または複数の窪みが形成されていることを特徴とする請求項２記載の光ディスク装置のトレイ。
【請求項３】
光ディスクを載置させるように凹設された載置部と、
該載置部の底板の一部が、載置部の中心から光ピックアップの移動方向に沿って開口して形成された開口部とを有するトレイにおいて、
前記載置部の底面の前記開口部との縁部には、前記開口部に一端が開口するように形成されたスリットを１または複数設けたことを特徴とする光ディスク装置のトレイ。
【請求項４】
前記スリットは、平面視円弧状に形成されていることを特徴とする請求項３記載の光ディスク装置のトレイ。
【発明の詳細な説明】
【０００１】
【発明の属する技術分野】
本発明は、光ディスクからのデータの読み出しおよび／または光ディスクへデータを書込む光ディスク装置が具備する、光ディスクを載置するトレイに関する。
【０００２】
【従来の技術】
ＣＤやＤＶＤなどの光ディスクを装着してデータの再生や記録を行なう装置として光ディスク装置がある。
光ディスク装置へのディスクの装着は、ディスクを載置可能なトレイによって行なわれるものが多い。
【０００３】
従来のトレイの形状を示す斜視図を図８に示す。
トレイ９には光ディスク（図示せず）を載置するため、凹んで形成された載置部８が設けられている。
さらにトレイ９には、光ディスクを保持するターンテーブル（図示せず）がトレイ下面側から突出できるように、且つ光ディスクに記録されたデータを読み出しおよび／またはデータを書込む光ピックアップ（図示せず）が光ディスクの記録面に対峙できるように、載置部８ａ中心から光ピックアップの移動方向に沿って開口して形成された開口部６が形成されている。
【０００４】
【発明が解決しようとする課題】
近年、光ディスクの回転速度が高速化するに伴って光ディスクの風切り音が問題となってきている。このような風切り音は、ユーザが不快になるという課題がある。
また、風切り音が発生しているということから、空気の流れが乱れており、この空気の乱れを原因として光ディスクに振動が多く発生してしまうのではないかというおそれもある。
【０００５】
そこで、本発明は上記課題を解決すべくなされ、その目的とするところは、光ディスクの回転速度が高速化している場合であっても光ディスクで発生する風切り音の発生を防止し、ひいては光ディスクの回転に伴う空気の流れがスムーズになるような光ディスク装置のトレイを提供することにある。
【０００６】
【課題を解決するための手段】
本発明者は、風切り音の発生のメカニズムについて次のような仮説をたてた。
すなわち、トレイに光ディスクを載置した場合には、光ディスクと載置部の底面との間には隙間があいているが、光ディスクの回転によってこの隙間内にトレイの開口部の端部から空気が入り込む。このとき、この隙間の厚さは一定であるので光ディスクの回転に伴い、隙間内に流入した空気は圧縮されることとなる。そして、この空気は流入した側と反対の開口部の端部から流出されることとなるが、圧縮されていた空気が開口部へ流出することにより、空気の圧力が一度に開放される。このとき、空気の圧力の開放に伴い風切り音が発生するのではないか、というのである。
【０００７】
そこで、本発明者は、光ディスクと載置部の底面との間で圧縮されていた空気が開口部へ一気に開放されるのではなく、徐々に開放されるようにするのであれば風切り音は発生しなくなるのではないかと考え、本発明に想到した。
【０００８】
すなわち、本発明にかかる光ディスク装置のトレイによれば、光ディスクを載置させるように、大径の部位と、該大径の部位よりも深さが深く形成されている小径の部位とが同心円状に凹設された載置部と、該載置部の底板の一部が、載置部の中心から光ピックアップの移動方向に沿って開口して形成された開口部とを有するトレイにおいて、前記載置部の底面の前記開口部との縁部には、載置された光ディスクとの間の隙間が前記開口部に向けて徐々に広がるように傾斜して形成された傾斜面を設け、該傾斜面は、前記載置部の前記大径の部位と前記小径の部位の両方にわたって形成されていることを特徴としている。
この構成を採用することによって、光ディスクと載置部の底面との間に存する空気は、開口部との縁部に移動していくと徐々に圧力が低下するようになるので、圧縮されていた空気が開口部へ一気に開放されるということがなくなり、風切り音の発生を防止できる。
【０００９】
また、前記傾斜面には、１または複数の窪みが形成されていることにより、この傾斜面に接している空気に小さな乱流が生じるので、開口部へ空気をスムーズに流出させることができ、さらに風切り音の防止に寄与することができる。
【００１０】
本発明にかかる光ディスク装置のトレイによれば、光ディスクを載置させるように凹設された載置部と、該載置部の底板の一部が、載置部の中心から光ピックアップの移動方向に沿って開口して形成された開口部とを有するトレイにおいて、前記載置部の底面の前記開口部との縁部には、前記開口部に一端が開口するように形成されたスリットを１または複数設けたことを特徴としている。
この構成を採用することによって、光ディスクと載置部の底面との間で圧縮された空気が開口部へ流出する際に、スリットから少しずつ抜けていくので空気の圧力が徐々に低下し、開口部へ空気が流出する際に圧力が一気に開放されることを防止することができる。
【００１１】
また、前記スリットは、平面視円弧状に形成されていることを特徴とするので、光ディスクの回転方向に沿って、光ディスクと載置部の底面との間の空気を徐々に抜くことができる。
【００１２】
【発明の実施の形態】
以下、本発明の好適な実施の形態を添付図面に基づいて詳細に説明する。
図１に本発明の第１実施形態の斜視図を、図２に図１に示したトレイの平面図を、図３に図２におけるＡ−Ａ断面図を示す。
トレイ３０には、光ディスク１０（図３参照）を載置するための載置部３２が形成されている。載置部３２は、光ディスクが載置されるよう、光ディスクの直径よりもやや大きめであって、トレイ上面３３よりも凹んだ形状に設けられている。
【００１３】
本実施形態では、載置部３２は同心円状に２段に形成されている。載置部３２のうち深さが浅く形成されている大径の部位３４は、直径１２ｃｍの光ディスクを載置する部位である。一方、大径の部位３４の内側には、大径の部位３４よりも深さが深く形成されている小径の部位３６が形成されている。この部位は、直径８ｃｍの光ディスクを載置する部位である。
【００１４】
トレイ３０には開口部３８が形成されている。
開口部３８は、載置部３２の円の中心３２ａから図示しないピックアップの移動方向（光ディスクの半径方向）に沿ってトレイ３０が切り抜かれた状態に開口して形成されている。
開口部３８において、載置部の中心３２ａには光ディスクを保持するためのターンテーブル（図示せず）がトレイ下面側から突出する。ターンテーブルはスピンドルモータ（図示せず）の出力軸に連結されており、保持した光ディスクを回転させる。
また、載置部３２の底面を挟んで、光ディスクの記録面と対向する位置に配置された光ピックアップは、載置部３２に載置された光ディスクの読み出しおよび／または書込み位置に移動する必要がある。このため、光ピックアップは開口部３８内を光ディスクの半径方向に移動する。
【００１５】
載置部３２の底面の開口部３８の縁部には、開口部３８に向けて徐々に凹設された載置部３２の深さが深くなるような傾斜面４０が形成されている。言い換えると、傾斜面４０は、載置部３２に載置した光ディスクの記録面と載置部３２の底面との間の隙間が徐々に広くなるように傾斜して形成されている。
この傾斜面４０は、載置部３２の大径の部位３４と小径の部位３６の両方にわたって形成されている。
【００１６】
傾斜面４０を設けたことによる作用について説明する。
まず、光ディスク１０が回転すると、回転に伴って周囲の空気を巻き込んで、光ディスク１０と載置部３２の底面との隙間内に空気が流入することとなる（矢印ａ）。このとき、光ディスク１０が時計の逆回りに回転しているとすると、図２における右側の開口部３８端部から進入する。
【００１７】
光ディスク１０が高速回転するほど光ディスク１０と載置部３２の底面との間には空気が多く流入し、光ディスク１０と載置部３２の底面との間には、流入した空気は圧縮されつつ光ディスクの回転方向に移動する（矢印ｂ）。
圧縮された空気は、光ディスク１０の回転に伴い、図２における左側の開口部３８端部から流出する（矢印ｃ）。
この空気の流出の際、載置部３２には傾斜面４０が形成されて、光ディスク１０と載置部３２の底面との間の隙間が開口部３８に向けて徐々に広がるので、圧縮されていた空気は、開口部３８に接近するにつれ膨張して次第に圧力低下する。
【００１８】
このようにして最終的に光ディスク１０と載置部３２の底面との間から空気が流出する（矢印ｃ）場合には、圧力が一度に開放されることなく、徐々に圧力低下していくので、空気が一度に圧力開放される際に生じると思われる音の発生を防止できる。
【００１９】
次に、本発明の第２実施形態について説明する。
図４に本発明の第２実施形態の斜視図を、図５に図４に示したトレイの平面図を、図６に図５におけるＢ−Ｂ断面図を示す。
なお、上記第１実施形態と同一の構成要素については同一の符号を付し、説明を省略する場合もある。
【００２０】
本実施形態の特徴は、載置部３２に、開口部３８へ一端が開口するスリット４４を形成したことにある。したがって、言い換えるとスリット４４は、開口部３８側からみると凹んで形成されている部位であるとも言える。
本実施形態のスリット４４は、長さを変えて３本形成されている。載置部３２の最外周側には最も長いスリット４４ａ，最内周側には最も短いスリット４４ｃ，スリット４４ａとスリット４４ｃの間にはこれらの中間の長さを有するスリット４４ｂとを有している。
これら各スリット４４ａ，４４ｂ，４４ｃは、光ディスク１０の平面形状に合わせて、載置部３２の中心３２ａを中心とした円弧状に形成されている。
【００２１】
次にスリット４４を設けたことによる作用について説明する。
まず、光ディスク１０が回転すると、回転に伴って周囲の空気を巻き込んで、光ディスク１０と載置部３２の底面との隙間内に空気が流入することとなる（矢印ａ）。このとき、光ディスク１０が時計の逆回りに回転しているとすると、空気は図５における右側の開口部３８端部から進入する。
【００２２】
光ディスク１０が高速回転するほど光ディスク１０と載置部３２の底面との間には空気が多く流入し、光ディスク１０と載置部３２の底面との間には、流入した空気は圧縮されつつ光ディスクの回転方向に移動する（矢印ｂ）。
圧縮された空気は、光ディスク１０の回転に伴い、図５における左側の開口部３８端部から流出する（矢印ｃ）。
この空気の流出の際、載置部３２には複数のスリット４４ａ，４４ｂ，４４ｃが形成されて、光ディスク１０と載置部３２の底面との間の空気が各スリット４４ａ，４４ｂ，４４ｃからトレイ３０の下面側に抜けるので、圧縮されていた空気は、開口部３８に接近する次第に圧力低下する。
【００２３】
このようにして最終的に光ディスク１０と載置部３２の底面との間から空気が流出する（矢印ｃ）場合には、圧力が一度に開放されることなく、空気が一度に圧力開放される際に生じると思われる音の発生を防止できる。
【００２４】
上述したスリットの長さは、外側のスリットの長さを最も長くなるようにしたが、このような長さに限定されることはなく、内側のスリットの長さを最も長くするようにしてもよいし、全てのスリットを同じ長さにしてもよい。
なお、第２実施形態におけるスリットの数は上述したような３本に限定されることはなく、１本であってもよいし、３本以外の数であってもよい。
さらに、第２実施形態ではスリットは全て大径の部位３４に形成されるようになっていたが、小径の部位３６にも形成するようにしてもよい。
【００２５】
次に、本発明の第３実施形態について説明する。
図７に本発明の第３実施形態の平面図を示す。
なお、上記第１実施形態および第２実施形態と同一の構成要素については同一の符号を付し、説明を省略する場合もある。
【００２６】
本実施形態の特徴は、第１実施形態で説明した傾斜面４０に窪み４６（ディンプル）を形成した点にある。
窪み４６は、傾斜面４０全体に形成される。窪み４６の形状はほぼ円形であり、深さは１ｍｍ程度あればよい。
【００２７】
このように、傾斜面４０に窪み４６を形成したことにより、この窪み４６上を流れる空気には乱流が生じる。
このため、載置部３２の底面上を流れる空気の空気抵抗が減り、風切り音の減少に寄与することができるのである。
【００２８】
なお、上述してきた各実施形態においては、傾斜面４０、スリット４４は載置部３２において開口部３８の縁部の両側に形成されていた。
しかし、少なくとも光ディスク１０の回転によって光ディスクと載置部３２の底面との間から空気が流出する側（図２、図５では左側）にのみ、傾斜面４０やスリット４４を形成するようにすればよい。
【００２９】
なお、上述してきた実施形態においては、載置部３２が開放されている側を上方としてきたが、これは図面上で説明の必要のためにこのように説明したものであり、載置部３２が開放されている側が、側面になるように配置されているものであってもよい。
【００３０】
以上本発明につき好適な実施例を挙げて種々説明したが、本発明はこの実施例に限定されるものではなく、発明の精神を逸脱しない範囲内で多くの改変を施し得るのはもちろんである。
【００３１】
【発明の効果】
本発明に係る光ディスク装置のトレイによれば、光ディスクと載置部の底面との間で圧縮された空気が開口部へ流出する際に、光ディスクと載置部の底面との間の隙間が徐々に広がって空気の圧力が徐々に低下し、開口部へ空気が流出する際に圧力が一気に開放されることを防止することができる。
【００３２】
また、傾斜面には、１または複数の窪みが形成されていることにより、この傾斜面に接している空気に小さな乱流が生じるので、開口部へ空気をスムーズに流出させることができ、さらに風切り音の防止に寄与することができる。
【００３３】
さらに本発明に係る光ディスク装置のトレイによれば、載置部の底面の開口部との縁部には、開口部に一端が開口するように形成されたスリットを１または複数設けたことを特徴としているので、光ディスクと載置部の底面との間で圧縮された空気が開口部へ流出する際に、スリットから少しずつ抜けていくので空気の圧力が徐々に低下し、開口部へ空気が流出する際に圧力が一気に開放されることを防止することができる。
【００３４】
また、スリットは、平面視円弧状に形成されていることを特徴とするので、光ディスクの回転方向に沿って、光ディスクと載置部の底面との間の空気を徐々に抜くことができる。
【図面の簡単な説明】
【図１】  本発明に係る光ディスク装置におけるトレイの第１実施形態の斜視図である。
【図２】  図１に示したトレイの平面図である。
【図３】  図２に示したトレイのＡ−Ａ断面図である。
【図４】  本発明に係る光ディスク装置におけるトレイの第２実施形態の斜視図である。
【図５】  図４に示したトレイの平面図である。
【図６】  図５に示したトレイのＢ−Ｂ断面図である。
【図７】  本発明に係る光ディスク装置におけるトレイの第３実施形態の斜視図である。
【図８】  従来のトレイの斜視図である。
【符号の説明】
１０  光ディスク
３０  トレイ
３２  載置部
３２ａ  中心
３３  トレイ上面
３４  大径の部位
３６  小径の部位
３８  開口部
４０  傾斜面
４４  スリット
４４ａ，４４ｂ，４４ｃ  スリット
４６  窪み
【図１】
0003688634.tif 000002
【図２】
0003688634.tif 000003
【図３】
0003688634.tif 000004
【図４】
0003688634.tif 000005
【図５】
0003688634.tif 000006
【図６】
0003688634.tif 000007
【図７】
0003688634.tif 000008
【図８】
0003688634.tif 000009